(57)【要約】【課題】  イヤホンのコードとＦＭラジオ受信用アンテナを兼用した携帯電話においては、イヤホンのコードをアンテナとしてＦＭラジオやＴＶ放送を受信するため、イヤホンが接続されていないと放送を受信できず、本体内部または外部に有するメモリに記憶した音楽データを再生して、イヤホンに出力する場合に音質が劣化するという問題がある。【解決手段】  イヤホンを接続するための第１の端子と、ループ状または線状の構造の携帯電話を吊るす、または、保持するための手段でＶＨＦ帯のＦＭラジオまたはＴＶ放送の電波を受信するためのアンテナと、該アンテナを接続する第２の端子を有する携帯電話で、ＶＨＦ帯のＦＭラジオまたはＴＶ放送の電波を受信する手段を有すると共に、音楽を再生する手段を備え、イヤホンまたは外部スピーカから音楽再生信号を出力する。【選択図】        図１
2006279746.tif 000002
【特許請求の範囲】
【請求項１】
ＦＭラジオまたはテレビ放送を視聴可能な携帯電話であって、
内部にアンテナが組み込まれたループ状または線状の構造の前記携帯電話を吊るす又は保持するための紐と、
前記紐を取り付けるとともに前記紐に組み込まれた前記アンテナと電気的接続を行なうアンテナ端子と、
前記アンテナ端子と接続されたＦＭ受信部と、
音声情報を記憶するメモリと、
前記ＦＭ受信部および前記メモリのいずれかの出力を音声信号に変換する音声信号・音楽再生信号出力部と、
前記音声信号・音楽再生信号出力部と切替え機能を介して接続可能なイヤホン端子と、
前記音声信号・音楽再生信号出力部と切替え機能を介して接続可能なスピーカと、
を有することを特徴とする携帯電話。
【請求項２】
時間情報を表示する時間表示部と、
基地局との通信により前記携帯電話が存在する地域を特定する手段と、
地域毎の受信可能なＦＭ放送またはＴＶ放送で且つ時報を発信する放送局の周波数に関する情報を予め記憶したメモリと、
を具備し、
前記特定された地域と該メモリに記憶された情報より良好に受信可能な放送を決定し、決定した該放送を受信し、該放送により受信した時報より、前記時間表示部に表示される時刻を補正する手段を有することを特徴とする請求項１に記載の携帯電話。
【請求項３】
時間情報を表示する時間表示部と、
基地局との通信により前記携帯電話が存在する地域を特定する手段と、
過去に受信された放送と受信された地域とを記憶するメモリと、
を具備し、
最後に受信された地域と現在の地域が一致する場合には、最後に受信した放送を受信し、該放送により受信した時報より、前記時間表示部に表示される時刻を補正する手段を有することを特徴とする請求項１に記載の携帯電話。
【請求項４】
時間表示部に表示された時刻が正時となる所定の時間前に前記ＦＭ受信部の電源が入り、時報を受信後に前記ＦＭ受信部の電源を切ることを特徴とする請求項２または３に記載の携帯電話。
【発明の詳細な説明】
【技術分野】
【０００１】
本発明は、ＶＨＦ帯の電波を受信する受信機能と、この受信した音声信号または、音楽再生信号を出力するスピーカ、または、音声信号および再生信号をイヤホンに出力する端子を有する携帯電話に関するものである。
【背景技術】
【０００２】
従来の携帯電話、特にＦＭラジオを受信する機能を有する携帯電話においては、イヤホンの長さを受信周波数帯域に応じて概ね選定しておくことにより、イヤホンのコードを受信アンテナとして使用してＶＨＦ帯のＦＭラジオやＴＶ放送を受信することが可能であり、イヤホンのアンテナは受信感度が得られるように、音声出力部とは高周波的に絶縁可能な高周波チョーク素子などにより接続されており、音楽再生信号や音声を出力することが可能であった。
【０００３】
特に、イヤホンコードに接続する高周波チョークコイルと高周波的に互いに並列接続するコンデンサを設けることにより、イヤホンコードをアンテナとして使用する場合のＦＭ受信感度の低下を防止していた（例えば、特許文献１参照）。
【特許文献１】特開平９−３３１２０９号公報（第５頁、第２図）
【発明の開示】
【発明が解決しようとする課題】
【０００４】
従来の携帯電話においては、イヤホンのコードをアンテナとしてＦＭラジオやＴＶ放送を受信するため、イヤホンが接続されていないと放送を受信できないという問題があり、また、携帯電話本体内部または外部に有するメモリに予め記憶した音楽データを再生する際には、アンテナと兼用したイヤホンに出力する場合に音質が劣化するという問題もあった。
【０００５】
さらに従来の携帯電話において、時刻情報に基づいて時刻を補正する場合には、その地域で受信可能な受信感度の高い放送の電波をユーザー自身が選局し、この放送が送信する時報を受信する必要があった。しかし、放送の周波数は地域によって異なるため、地域を移動する毎に最適な受信感度を有する放送の周波数設定を行なわなければならず、完全に自動的に時刻を補正することが困難であった。
【０００６】
この発明の目的は、イヤホンコードを接続することなくＦＭラジオを受信することが可能であり、したがって、外部スピーカを使用してラジオ放送を視聴できるラジオ機能を有し、かつ、イヤホンを接続した場合には、音質劣化の少ない音楽再生機能を有する携帯電話を提供することにある。
【０００７】
また、本発明においては、ユーザーが受信感度の高い放送局を検索して受信周波数を設定しなくても、放送局情報を自動で設定し、そのため、時刻補正を自動で行なう携帯電話を提供することを目的とする。
【課題を解決するための手段】
【０００８】
本発明は、上述のような課題を解消するためになされたもので、ＦＭラジオまたはテレビ放送を視聴可能な携帯電話であって、内部にアンテナが組み込まれたループ状または線状の構造の前記携帯電話を吊るす又は保持するための紐と、前記紐を取り付けるとともに前記紐に組み込まれた前記アンテナと電気的接続を行なうアンテナ端子と、前記アンテナ端子と接続されたＦＭ受信部と、音声情報を記憶するメモリと、前記ＦＭ受信部および前記メモリのいずれかの出力を音声信号に変換する音声信号・音楽再生信号出力部と、前記音声信号・音楽再生信号出力部と切替え機能を介して接続可能なイヤホン端子と、前記音声信号・音楽再生信号出力部と切替え機能を介して接続可能なスピーカとを有する携帯電話を提供するものである。
【発明の効果】
【０００９】
本発明によれば、イヤホンコードを接続することなくＦＭラジオを受信することが可能であり、また、外部スピーカを使用してラジオ放送を聴くことが可能であり、さらには、イヤホンを接続した場合に音質の劣化の少ない音楽再生を行なうことが可能である。
【発明を実施するための最良の形態】
【００１０】
実施の形態１．
図１はこの発明の実施の形態１に係る携帯電話を示す図である。
【００１１】
この携帯電話は、図１の如く、携帯電話本体１の内部にＦＭ受信部２、音声信号・音楽再生信号出力部３およびスピーカ４を有する。ＦＭ受信部２は、ＶＨＦ帯の電波で発信されるＦＭラジオまたはＴＶ放送の電波を検波し、受信する。音声信号・音楽再生信号出力部３は、ＦＭ受信部２で受信された音声信号や、内蔵メモリまたは外部メモリに蓄積されている音楽データを再生して、必要な増幅等を行ない電気的信号として出力する。スピーカ４は、この電気的信号を音に変換する。また、音声信号・音楽再生信号出力部３にはイヤホン接続端子５が接続され、このイヤホン接続端子５は、携帯電話本体１に固定されている。イヤホン７をイヤホン接続端子５に接続することで、イヤホン７は音声信号・音楽再生信号出力部３から出力される電気信号を音に変換する。
【００１２】
携帯電話本体１には、ＦＭ受信部２に外部アンテナを接続するためのアンテナ接続端子６が設けられている。このアンテナ接続端子６には着脱可能な、あるいは固定したアンテナ８を接続可能であり、このアンテナ８はループ状の形状の紐の内部に内蔵された形状で、その長さが手を通して保持することが可能な長さであったり、顔を通して首から吊るすために適当な長さである。さらに理想的には、アンテナ８の電気的な長さがＦＭ放送波の1/4波長の整数倍であれば、受信感度の点で最適になるが、本実施の形態においてはこれに限らない。
【００１３】
上記ではループ状の形状のアンテナについて説明したが、線状のものでも良い。例えば、図１においては、直線状の紐の内部に直線状のアンテナを有しているが、図２に示すように、電気的な長さが前記記載の長さであって、紐の内部で巻きつけられた形状を有するアンテナ９を用いることもできる。
【００１４】
アンテナ８は、携帯電話本体１と一体となり固定されていても良いし、アンテナ接続端子６において着脱可能としても良い。またはアンテナ８は、その途中において取り外しが可能な構造になっていてもよく、接続する先端部にアンテナ機能を持たせたものであれば、先端部を取り替えることにより、使用者の好みにあったさまざまな形状のアクセサリー等を取りつけても良い。
【００１５】
イヤホン接続端子５にはイヤホン７を接続可能であり、音声信号・音楽再生信号出力部３から出力される電気信号を、イヤホン７により音に変換して聞くことができる。音声信号・音楽再生信号出力部３は出力信号の出力先を切替える機能を有し、外部スピーカ４に出力するか、イヤホン７に出力するかを選択することも可能である。イヤホン接続端子５には左右それぞれ独立の信号出力を持つイヤホン７を接続し、ステレオ再生を楽しむこともできる。
【００１６】
尚、携帯電話本体１の内部には、通話を行なうための送受信手段や半導体メモリが配置され、また、表示デバイスやカメラ等が配置されている場合もあるが、図１においては省略している。
【００１７】
以上のような構成の携帯電話において、アンテナ８を用いて携帯電話本体１を吊るしたり、保持したりすることができ、その状態で、ＦＭラジオやＴＶ放送の電波を受信できる。このため、イヤホン７を接続していない場合でも、ＦＭ放送を良好に受信可能であり、スピーカによりＦＭ放送を楽しむことができる。また、イヤホン７の着脱によりイヤホン７のコードがからまる等の使い勝手の悪さから開放される。
【００１８】
さらには、イヤホン７をアンテナと兼用して使用していないので、音楽再生信号を出力するための専用の信号線としてイヤホン７を使用することが可能であり、良好な音質で音楽等を視聴できる。
【００１９】
また、アンテナ８をそれ自体が着脱可能、あるいはアンテナ８の一部が交換可能にすることで、使用者の嗜好にあった使い方が可能となる。
【００２０】
実施の形態２．
図３および図４はこの発明の実施の形態２に係る携帯電話を示す図である。これらの図において、実施の形態１と共通する部分には、同じ符号を付している。
【００２１】
図３において、携帯電話本体１は、現在の時刻を表示することが可能な液晶やＥＬ等の表示デバイスで構成される時間表示部１０を備えている。
【００２２】
図４において、２ａはＦＭ受信部であり、実施の形態１のＦＭ受信部２と同様の機能を有する他、ＣＰＵ１１に指示を送り時間表示部１０に表示される時刻を補正する機能も有している。ＣＰＵ１１は携帯電話の通話や通信、キー操作等の必要な制御を行なうとともに、時間表示部１０に表示する時刻情報を管理しており、ユーザーの操作やＦＭ受信部２ａからの指示により時刻を補正する機能を有している。
【００２３】
ＦＭ受信部２ａとＣＰＵ１１とは、クロック、データ、アドレス、チップセレクト、イネーブル等の制御バス１２で接続されており、ＣＰＵ１１の制御により、受信する放送局の周波数を選択することが可能である。また、ＦＭ受信部２ａは、受信信号から時報信号を検知し、ＣＰＵ１１に対して時報検知信号１３を出力する機能を持つ。
【００２４】
以上のような構成の携帯電話において、どのようにして携帯電話が存在する場所を特定し、その地域で受信可能なＦＭラジオまたはＴＶ放送を受信するかについて以下にその動作を説明する。ＣＰＵ１１は、電源が入っているときには携帯電話が通話やメールの受信が可能であることを維持するように、携帯電話の制御を行なっている。図５において、Ｔ１、Ｔ２は携帯電話、ＫＡ１〜ＫＡ６は携帯電話の基地局、ＲＡ１、ＲＡ２はＦＭラジオまたはＴＶ放送の送信アンテナを表している。ＫＡ１、ＫＡ２、ＫＡ３の基地局はＦＭラジオまたはＴＶ放送の送信アンテナＲＡ１が発信する電波を受信可能な地域Ａにある。他方、ＫＡ４、ＫＡ５、ＫＡ６の基地局はＦＭ放送またはＴＶ放送の送信アンテナＲＡ２が発信する電波を受信可能な地域Ｂにある。
【００２５】
図５の地域Ａにある携帯電話Ｔ１は、携帯電話Ｔ１の一番近くにある基地局である基地局ＫＡ３との通信により、基地局ＫＡ３がどの地域にある基地局であるかの情報を入手し、内蔵のＣＰＵ１１が、自らが存在する地域を把握する。また、ＣＰＵ１１が管理するメモリは、例えば、各地域において時報を発信している放送局の周波数情報をデータとして持っている。これらの情報より、ＣＰＵ１１は受信すべき放送局の周波数を決定し、この周波数をＦＭ受信部２ａに伝える。これにより、地域ＡにあるＦＭ放送またはＴＶ放送の送信アンテナＲＡ１が発信する電波をＦＭ受信部２ａは選局し、受信することができる。
【００２６】
同様に、図５の地域Ｂにある携帯電話Ｔ２は、携帯電話Ｔ２の一番近くにある基地局である基地局ＫＡ６との通信により、基地局ＫＡ６がどの地域にある基地局であるかの情報を入手し、内蔵のＣＰＵ１１が、自らが存在する地域を把握する。また、ＣＰＵ１１が管理するメモリは、例えば、各地域において時報を発信している放送局の周波数情報をデータとして持っている。これらの情報より、ＣＰＵ１１は受信すべき放送局の周波数を決定し、この周波数をＦＭ受信部２ａに伝える。これにより、地域ＢにあるＦＭ放送またはＴＶ放送の送信アンテナＲＡ２が発信する電波をＦＭ受信部２ａは選局し、受信することができる。
【００２７】
次に、どのようにして時計の時刻を補正するかについて説明する。予めユーザーによって時計の示す時刻は大まかに設定されており、その時計が示す時刻において、“００分”（＝正時）になる数秒から数分前（＝予め定めた所定の時間前）になると、ＣＰＵ１１はＦＭラジオやＴＶ放送が受信できるようにＦＭ受信部２ａ等必要な回路の電源を立ち上げる。
【００２８】
本実施の形態に係る発明においては、アンテナ８は、携帯電話本体１を吊るすか保持するかの機能を持っており、イヤホン７が接続されているか、接続されていないかにかかわらず、常にＦＭラジオまたはＴＶ放送が良好な受信可能な状態にあり、放送の選局に際しては、上記の様に、基地局情報とＣＰＵ１１が管理するメモリが有する放送局の情報から、その地域で時報を発信している放送局を選局して、その放送を受信する。
【００２９】
ＦＭ受信部２ａにおいて放送を受信中に時報を検知すると、時報検知信号１３がＣＰＵ１１に出力され、ＣＰＵ１１は管理する時刻情報の補正を行ない、これに合わせて時間表示部１０に表示する時刻を補正するように動作する。時刻の補正が完了すると、放送受信のために立ち上げた回路の電源を落とし、通信の待機状態にもどる。
【００３０】
本実施の形態に係る発明においては、ＦＭ受信部２ａの周波数設定を地域情報から選択した放送局の周波数としたが、ユーザーが時報受信前に最後に使用していた選局情報を、携帯電話内部のメモリに記憶しておき、次にユーザーがＦＭラジオやＴＶ放送の受信機能を使用する時は、最後に使用していた選局情報をメモリから読出し、時報を得るためにこの放送を受信するようにしても良い。また、上記において選局情報をメモリに記憶する際、同時に携帯電話の存在する地域を記憶し、携帯電話が移動していない場合には、この記憶した選局情報を利用するようにしても良い。
【００３１】
また、時刻情報を自動で補正しようとするときに、通話機能やメール機能など時刻情報を自動で補正するために必要な機能をユーザーが使用している場合は、ユーザーの操作を優先して行なうようにし、その時間における時刻情報の補正は行なわず、次の時報が発信されるタイミングで補正を行なえばよく、数日に１回程度の頻度で補正が実施されれば、秒単位での正確な時刻情報を保持することが可能である。
【００３２】
以上の構成の携帯電話において、常に使用可能なＦＭアンテナを有し、基地局からの情報により携帯電話が存在する場所の地域を特定し、この地域で受信可能な時報を発信するＦＭ放送またはＴＶ放送を受信し、この時報により時刻情報の補正を行なうことにより、ユーザの特別な操作を必要とせず、常に正確な時刻を表示することが可能な携帯電話を提供することが可能になる。したがって、携帯電話を持つユーザーが受信地域を越えて移動する場合、受信感度の高い放送局の設定等をしなくても、放送局情報を自動で設定し、携帯電話の時刻補正を自動で行うことができる。
【図面の簡単な説明】
【００３３】
【図１】この発明の実施の形態１に係る携帯電話の構成を示す図である。
【図２】この発明の実施の形態１に係る巻きつけられた形状を有するアンテナの形状を表す図である。
【図３】この発明の実施の形態２に係る携帯電話の構成を示す図である。
【図４】この発明の実施の形態２に係る携帯電話の構成を示す図である。
【図５】この発明の実施の形態２に係る携帯電話の動作を説明する図である。
【符号の説明】
【００３４】
１    本発明に係る携帯電話本体
２    本発明の実施の形態１に係るＦＭ受信部
２ａ  本発明の実施の形態２に係るＦＭ受信部
３    本発明に係る音声信号・音楽再生信号出力部
４    本発明に係る外部スピーカ
５    本発明に係るイヤホン接続端子
６    本発明に係るアンテナ接続端子
７    本発明に係るイヤホン
８    本発明に係るアンテナ
９    本発明に係る巻きつけられた形状を有するアンテナ
１０  本発明の実施の形態２に係る時間表示部
１１  本発明の実施の形態２に係るＣＰＵ
１２  本発明の実施の形態２に係る制御バス
１３  本発明の実施の形態２に係る時報検知信号
Ｔ１，Ｔ２  本発明の実施の形態２に係る携帯電話
ＫＡ１〜ＫＡ６  本発明の実施の形態２に係る携帯電話基地局
ＲＡ１，ＲＡ２  本発明の実施の形態２に係る送信アンテナ
【図１】
2006279746.tif 000003
【図２】
2006279746.tif 000004
【図３】
2006279746.tif 000005
【図４】
2006279746.tif 000006
【図５】
2006279746.tif 000007